(57)【要約】【課題】電源回路を起動する前および停止した後に、電圧異常検出回路以外の異常検出回路が異常を検出した場合に、それを制御装置に認知させることができる電源周辺回路を提供する。【解決手段】直流電源回路（１１）から出力される電圧が規定の電圧範囲に入っているか否かを検出する電圧異常検出回路（１２）と、電圧以外の異常を検出する異常検出回路（１３）とを備え、電圧異常検出回路の出力と異常検出回路の出力の論理和をとった信号を制御装置へ出力するように構成された電源周辺回路（１４）を有する直流電源装置において、電源周辺回路には、電源回路からの出力電圧の代わりとなる模擬電圧を入力可能な端子（１５）を設け、該端子に入力された模擬電圧が整流素子もしくはスイッチング素子を介して電圧異常検出回路の入力端子に印加されるように構成した。【選択図】図１
2010057244.tif 000002
【特許請求の範囲】
【請求項１】
直流電圧を発生する電源回路と、該電源回路から出力される電圧が規定の電圧範囲に入っているか否かを検出する電圧異常検出回路と、前記電圧以外の異常を検出する１または２以上の異常検出回路とを備え、前記電圧異常検出回路の出力と前記異常検出回路の出力の論理和をとった信号を制御装置へ出力するように構成された電源周辺回路を有する直流電源装置において、
前記電源周辺回路には、前記電源回路からの出力電圧の代わりとなる模擬電圧を入力可能な電圧入力端子を設け、該電圧入力端子に入力された前記模擬電圧が整流素子もしくはスイッチング素子を介して前記電圧異常検出回路の入力端子に印加されるように構成したことを特徴とする直流電源装置。
【請求項２】
前記電源周辺回路は、第１の模擬電圧を入力可能な第１電圧入力端子と第２の模擬電圧を入力可能な第２電圧入力端子とを備え、前記第１電圧入力端子または第２電圧入力端子に接続され前記電源回路の出力電圧の規定電圧範囲内の電圧に対応する模擬電圧を生成する電圧生成回路を有し、該電圧生成回路はシステムの電源起動または停止時に一時的に活性化されることを特徴とする請求項１に記載の直流電源装置。
【請求項３】
前記電圧生成回路により生成される模擬電圧が前記第１の模擬電圧である場合、前記第２の模擬電圧は前記電源回路の出力電圧の規定電圧範囲外の電圧に対応する電圧であることを特徴とする請求項２に記載の直流電源装置。
【請求項４】
直流電圧を発生する電源回路と、該電源回路から出力される電圧が規定の電圧範囲に入っているか否かを検出する電圧異常検出回路と、電圧以外の異常を検出する異常検出回路と、前記電圧異常検出回路の入力端子に前記電源回路からの出力電圧の代わりとなる模擬電圧を入力可能な電圧入力端子とを備え、前記電圧異常検出回路の出力と前記異常検出回路の出力の論理和をとった信号を制御装置へ出力するように構成された直流電源装置の制御方法であって、
稼動前の検査の際には前記電圧入力端子に前記電源回路の出力電圧の規定電圧範囲外の電圧に対応する模擬電圧を印加して前記電圧異常検出回路の動作検査を行い、システムの電源起動または停止時には前記電圧入力端子に前記電源回路の出力電圧の規定電圧範囲内の電圧に対応する模擬電圧を印加して前記電圧異常検出回路から誤検出信号が出力されないようにすることを特徴とする直流電源装置の制御方法。
【請求項５】
さらに、通常動作時に、前記電圧異常検出回路のみかけ上のしきい値を変化させるような適当な電圧を、前記電圧入力端子に印加することを特徴とする請求項４に記載の直流電源装置の制御方法。
【発明の詳細な説明】
【技術分野】
【０００１】
本発明は、負荷に供給する直流電圧を発生する直流電源装置、特に出力直流電圧の異常を検出する電圧異常検出回路および温度など他の異常を検出する異常検出回路を備えた直流電源装置および制御方法に関し、例えばＩＣ試験装置に利用して好適な直流電源装置および制御方法に関するものである。
【背景技術】
【０００２】
ＩＣ（半導体集積回路）のような動作電源電圧範囲が制限されている負荷に供給する直流電圧を発生するＤＣ−ＤＣコンバータなどの電圧変換回路（電源回路）を備えた直流電源装置においては、出力する直流電圧が動作電源電圧範囲の上限値を越えると、負荷としてのＩＣに必要以上の電流が流れてチップ温度が上昇しひいては内部素子が破壊される。また、出力する直流電圧が電圧範囲の下限値を下回ると、負荷としてのＩＣが誤動作したりするおそれがある。
【０００３】
そこで、直流電源装置においては、一般に出力される電圧の異常を検出する電圧異常検出回路が設けられる。また、ＩＣ試験装置において、被検査デバイスであるロジックＩＣやアナログＩＣを検査するテスト回路の直流電源装置には、電圧異常検出回路の他に、温度や煙など他の異常を検出する異常検出回路が設けられることもある。なお、被検査デバイスであるＩＣの電源電圧を発生する直流電源装置を備えたＩＣの試験装置において、出力される電圧の異常を検出する電圧異常検出回路に関する発明としては、例えば特許文献１や特許文献２に記載されているものがある。
【特許文献１】特開平９−２６４９３０号公報
【特許文献２】特開平１１−６４４５６号公報
【発明の開示】
【発明が解決しようとする課題】
【０００４】
複数の直流電源装置を備えたＩＣの試験装置においては、特許文献２に記載されているように、電源装置ごとに電圧異常検出回路が設けられ、それらの検出回路からの出力の論理和をとった信号がシステム全体を制御するプロセッサ（コントローラ）に入力される。同様に、電源装置に、電圧異常検出回路以外の異常検出回路を設ける場合にも、その異常検出回路と電圧異常検出回路の出力の論理和をとった信号がプロセッサに入力されるように構成される。
【０００５】
図３には、ＩＣ試験装置において、被検査デバイスであるロジックＩＣやアナログＩＣを検査するテスト回路の直流電源装置に、電圧異常検出回路１２の他に、温度や煙など他の異常を検出する異常検出回路１３を設けた場合の電源回路周辺の構成例を示す。電圧異常検出回路１２は、ウィンドウコンパレータなどで構成され、電源回路１１の出力電圧Ｖ２が規定の電圧範囲から外れている場合に、異常を示す信号（ロウレベルが異常発生を示す）を出力する。
【０００６】
なお、図３において、ＬＤは被検査デバイスであるロジックＩＣやアナログＩＣを検査するテスト回路を構成する負荷回路としてのＩＣであり、ロジックテスト回路の場合には、１．０〜３．３Ｖのような電圧Ｖ２が、またアナログテスト回路の場合には１０数Ｖ〜２０Ｖ程度の電圧Ｖ２が、電源回路１１から負荷回路ＬＤとしてのＩＣに供給される。
【０００７】
また、出力電圧Ｖ２をブリーダ抵抗Ｒ１，Ｒ２で分圧した電圧を監視する電圧異常検出回路１２の出力と、温度や煙など他の異常を検出する異常検出回路１３の出力とのワイヤードＯＲをとった信号ＦＡＩＬがプロセッサなどからなるコントローラ（制御装置）に入力されるように構成されている。
【０００８】
本発明者は、図３のような構成を有する電源の周辺回路においては、電源回路１１が起動される前、あるいは電源回路１１が停止された後は、電源回路１１が所定の電圧を出力しないため、電圧異常検出回路１２が低電圧状態であることを検出して、異常を示すロウレベルの信号をコントローラに出力する。そのため、異常を示す信号が供給されると、コントローラがシステムを立ち上げるのを中止するように構成されているシステムでは、永久に電源の立ち上げを行うことができないこととなる。
【０００９】
従って、一般には、電源回路１１が起動する前および停止した後は、異常検出回路からの信号をマスクすることが行なわれる。しかしながら、異常検出回路からの信号をマスクすると、電圧異常検出回路以外の異常検出回路が異常を検出している場合に、それをコントローラが認知することができず、システムを立ち上げるべきでない状況下でシステムを立ち上げてしまうおそれがあるという不具合が生じる。
【００１０】
さらに、図３のような構成を有し電源回路および負荷回路と同一の基板上に実装される電源周辺回路にあっては、システムを組み立てた後、初めて稼動する前に行う検査で、電圧異常検出回路１２が正常に動作するか否かを検査したい場合には、電源回路１１から、規定の電圧範囲から外れている出力電圧Ｖ２を発生させることで検査することはできる。しかし、そのようにすると、発生した出力電圧Ｖ２が規定電圧範囲の上限値よりも高い場合に、高電圧が負荷回路ＬＤに印加されてしまい、負荷回路ＬＤにとって好ましくない状況が生じるという課題がある。
【００１１】
この発明は上記のような課題に着目してなされたものでその目的とするところは、電圧異常検出回路および温度など他の異常を検出する異常検出回路を備えた直流電源装置において、電源回路の起動／停止時に、電圧異常検出回路以外の異常検出回路が異常を検出した場合に、それを制御装置に認知させることができる電源周辺回路を提供することにある。
【００１２】
この発明の他の目的は、システムを組み立てた後、稼動する前に行う検査で、負荷回路に悪影響を与えることなく電圧異常検出回路が正常に動作するか否かを検査することができる電源周辺回路を提供することにある。
【課題を解決するための手段】
【００１３】
上記目的を達成するため請求項１に記載の発明は、直流電圧を発生する電源回路と、該電源回路から出力される電圧が規定の電圧範囲に入っているか否かを検出する電圧異常検出回路と、前記電圧以外の異常を検出する１または２以上の異常検出回路とを備え、前記電圧異常検出回路の出力と前記異常検出回路の出力の論理和をとった信号を制御装置へ出力するように構成された電源周辺回路を有する直流電源装置において、前記電源周辺回路には、前記電源回路からの出力電圧の代わりとなる模擬電圧を入力可能な電圧入力端子を設け、該電圧入力端子に入力された前記模擬電圧が整流素子もしくはスイッチング素子を介して前記電圧異常検出回路の入力端子に印加されるように構成した。
【００１４】
これにより、前記電圧入力端子に電源回路の出力電圧の規定電圧範囲内の電圧に対応する模擬電圧を印加することで、電源回路を起動する前および停止した後の出力電圧の低い状態で電圧異常検出回路が異常検出信号を出力するのを回避できるため、電圧異常検出回路以外の異常検出回路が異常を検出した場合に、それを制御装置に認知させることができる。また、電源回路をオフした状態で前記電圧入力端子に電源回路の出力電圧の規定電圧範囲外の電圧に対応する模擬電圧を印加することで、稼動前の検査で、負荷回路に悪影響を与えることなく電圧異常検出回路が正常に動作するか否かを検査することができる。
【００１５】
請求項２に記載の発明は、請求項１に記載の発明において、前記電源周辺回路は、第１の模擬電圧を入力可能な第１電圧入力端子と第２の模擬電圧を入力可能な第２電圧入力端子とを備え、前記第１電圧入力端子または第２電圧入力端子に接続され前記電源回路の出力電圧の規定電圧範囲内の電圧に対応する模擬電圧を生成する電圧生成回路を有し、該電圧生成回路はシステムの電源起動または停止時に一時的に活性化されるようにしたものである。
【００１６】
これにより、電源装置の起動および停止の際に、前記電源周辺回路の電圧入力端子に自動的に模擬電圧を印加して、電源回路を起動する前および停止した後の出力電圧の低い状態で電圧異常検出回路が異常検出信号を出力するのを回避できる。
【００１７】
請求項３に記載の発明は、請求項２に記載の発明において、前記電圧生成回路により生成される模擬電圧が前記第１の模擬電圧である場合、前記第２の模擬電圧は前記電源回路の出力電圧の規定電圧範囲外の電圧に対応する電圧としたものである。これにより、稼動前の検査で、電源回路をオフした状態で第２の模擬電圧を第２電圧入力端子または第１電圧入力端子に印加することで、負荷回路に悪影響を与えることなく電圧異常検出回路が正常に動作するか否かを検査することができる。
【００１８】
請求項４に記載の発明は、直流電圧を発生する電源回路と、該電源回路から出力される電圧が規定の電圧範囲に入っているか否かを検出する電圧異常検出回路と、電圧以外の異常を検出する異常検出回路と、前記電圧異常検出回路の入力端子に前記電源回路からの出力電圧の代わりとなる模擬電圧を入力可能な電圧入力端子とを備え、前記電圧異常検出回路の出力と前記異常検出回路の出力の論理和をとった信号を制御装置へ出力するように構成された直流電源装置の制御方法であって、稼動前の検査の際には前記電圧入力端子に前記電源回路の出力電圧の規定電圧範囲外の電圧に対応する模擬電圧を印加して前記電圧異常検出回路の動作検査を行い、システムの電源起動または停止時には前記電圧入力端子に前記電源回路の出力電圧の規定電圧範囲内の電圧に対応する模擬電圧を印加して前記電圧異常検出回路から誤検出信号が出力されないようにしたものである。
【００１９】
これにより、稼動前の検査において、負荷回路に悪影響を与えることなく電圧異常検出回路が正常に動作するか否かを検査することができるとともに、電源回路を起動する前および停止した後の出力電圧の低い状態で電圧異常検出回路以外の異常検出回路が異常を検出した場合に、それを制御装置に認知させることができる。
【００２０】
請求項５に記載の発明は、請求項４に記載の発明において、さらに、通常動作時に、前記電圧異常検出回路のみかけ上のしきい値を変化させるような適当な電圧を、前記電圧入力端子に印加するようにしたものである。これにより、抵抗などの部品を変更あるいは交換をしたり、回路を変更したりすることなく電圧異常検出回路のみかけ上のしきい値を変化させて電源回路が発生する電圧が異なる複数の電源装置に対応することができる。
【発明の効果】
【００２１】
本発明によれば、電圧異常検出回路および温度など他の異常を検出する異常検出回路を備えた直流電源装置において、電源回路の起動／停止時に、電圧異常検出回路以外の異常検出回路が異常を検出した場合に、それを制御装置に認知させることができる電源周辺回路を実現することができる。また、システムを組み立てた後、稼動する前に行う検査で、負荷回路に悪影響を与えることなく電圧異常検出回路が正常に動作するか否かを検査することができる電源周辺回路を実現することができるという効果がある。さらに、通常動作時に、電圧異常検出回路のみかけ上のしきい値を可変にすることができる。
【発明を実施するための最良の形態】
【００２２】
以下、本発明の好適な実施の形態を図面に基づいて説明する。
【００２３】
図１は、本発明を、一例としてＩＣ試験装置に用いられる直流電源装置に適用した場合の一実施形態を示す。
【００２４】
この実施形態の直流電源装置は、図１に示されているように、入力電圧Ｖ１を受けて負荷回路ＬＤに必要な電圧Ｖ２を生成して出力する電源回路１１と、該電源回路１１より出力される電圧Ｖ２が規定の電圧範囲から外れていないか監視する電圧異常検出回路１２および温度や煙など他のパラメータを監視する異常検出回路１３などを有する電源周辺回路１４を備える。
【００２５】
電圧異常検出回路１２は、ウィンドウコンパレータなどで構成され、電源回路１１の出力電圧Ｖ２をブリーダ抵抗Ｒ１，Ｒ２で分圧した電圧を入力とし、出力電圧Ｖ２が規定の電圧範囲の上限値を超えるか下限値を下回ると、出力がロウレベルに変化して異常発生を示す信号を出力する。そして、この電圧異常検出回路１２の出力と、温度や煙、過電流など他の異常を検出する異常検出回路１３の出力とのワイヤードＯＲ（論理和）をとった信号ＦＡＩＬが、マイクロプロセッサなどからなる制御装置としてのシステムコントローラに供給されるように構成されている。
【００２６】
なお、信号ＦＡＩＬは、特に限定されるわけではないが、本実施形態ではロウレベルが異常を示す状態とされる。いずれか１つの異常検出回路の出力がロウレベルとされるとシステムコントローラが検知できるシステムは、例えば各異常検出回路の出力段にオープンコレクタもしくはオープンドレインのトランジスタを使用することで実現することができる。
【００２７】
この実施形態においては、上記電源周辺回路１４に電圧入力端子１５が設けられ、該電圧入力端子１５とブリーダ抵抗Ｒ１，Ｒ２の接続ノードＮ１との間に、ダイオードＤ１が接続されている。上記電圧入力端子１５は、電源起動／停止時に模擬電圧Ｖ４を印加し、システムを組み立てた後、稼動する前に行う検査の際に模擬電圧Ｖ５を印加するのに使用される。
【００２８】
ここで、模擬電圧Ｖ４は、電源起動／停止時に電源回路１１の動作が停止していてそのままでは電圧異常検出回路１２が電圧の異常（低電圧状態）を検出してロウレベルの検出信号を出力するような場合にも、上記出力電圧Ｖ２に代えて電圧入力端子１５から模擬電圧Ｖ４を電圧異常検出回路１２に入力することで異常検出信号が出力されないようにするものである。
【００２９】
一方、模擬電圧Ｖ５は、電圧異常検出回路１２が正常に動作するか否か検査するために、通常時よりも高い電圧を電圧異常検出回路１２に入力したい場合に、電源回路１１を動作させて高い電圧を発生させると、その電圧が負荷回路ＬＤにも印加されて不具合が発生するのを回避するため、上記出力電圧Ｖ２に代えて電圧入力端子１５から模擬電圧Ｖ５を電圧異常検出回路１２に入力して異常検出信号が出力されるかどうか検査するものである。
【００３０】
電圧異常検出回路１２としてのウィンドウコンパレータは、抵抗Ｒ１，Ｒ２の接続ノードＮ１の電位が反転入力端子に印加され、参照電圧Ｖref1が非反転入力端子に印加された電圧比較器ＣＭＰ１と、抵抗Ｒ１，Ｒ２の接続ノードＮ１の電位が非反転入力端子に印加され、参照電圧Ｖref2（＜Ｖref1）が反転入力端子に印加された電圧比較器ＣＭＰ２とから構成することができる。ここで、参照電圧Ｖref1は上記出力電圧Ｖ２の規定電圧範囲の上限値に対応され、参照電圧Ｖref2は上記出力電圧Ｖ２の規定電圧範囲の下限値に対応される。具体的には、規定電圧範囲の上限値をＶlim1とするとＶref1はＶlim1・Ｒ２／（Ｒ１＋Ｒ２）とされ、下限値をＶlim2とするとＶref2はＶlim2・Ｒ２／（Ｒ１＋Ｒ２）とされる。
【００３１】
なお、図１において、ＬＤは被検査デバイスであるロジックＩＣやアナログＩＣを検査するテスト回路を構成する負荷回路としてのＩＣであり、ロジックテスト回路の場合には、１．０〜３．３Ｖのような電圧Ｖ２が、またアナログテスト回路の場合には例えば１０数Ｖ〜２０Ｖの電圧Ｖ２が、電源回路１１から負荷回路ＬＤとしてのＩＣに供給されるように電源回路１１が構成される。
【００３２】
入力電圧Ｖ１は、一般には直流電圧が用いられるが交流電圧であっても良い。入力電圧Ｖ１が直流電圧の場合には電源回路１１としてＤＣ−ＤＣコンバータが用いられ、入力電圧Ｖ１が交流電圧の場合には電源回路１１としてＡＣ−ＤＣコンバータが用いられる。
【００３３】
さらに、図１の直流電源装置がロジックテスト回路用の電圧（１．０〜３．３Ｖ）を供給する装置の場合には、図１と同様な構成を有しアナログテスト回路用の電圧（１０数Ｖ〜２０Ｖ）を供給する直流電源装置が別途設けられ、その直流電源装置内の異常検出回路の出力同士の論理和をとった信号と、図１の電圧異常検出回路１２の出力と異常検出回路１３の出力との論理和をとった信号を、さらにワイヤードＯＲにより論理和をとってから、システムコントローラに入力されるように構成される。
【００３４】
次に、上記のような構成を有する図１の直流電源装置の動作を説明する。
【００３５】
本実施形態の直流電源装置においては、システムの電源起動／停止時に、電圧入力端子１５に模擬電圧Ｖ４を印加する。模擬電圧Ｖ４には、Ｖref2＋ＶＦ（ＶＦはダイオードＤ１の順方向電圧）よりも高くＶref1＋ＶＦよりも低い電圧が選択される。これにより、電源回路１１の動作が停止していても、電圧異常検出回路１２には電圧Ｖ２が規定電圧範囲内にあるときのノードＮ１の電位に相当する電圧が入力され、電圧異常検出回路１２は出力電圧Ｖ２が正常と判定してハイレベルの検出信号を出力する。
【００３６】
そのため、このとき仮に異常検出回路１３から異常を示すロウレベルの検出信号が出力されると、システムコントローラはその異常を検知して電源の立上げを中止する等の動作を行なうことでシステム（ＩＣ試験装置）が危険な状態にならないようにすることができる。なお、上記模擬電圧Ｖ４は、電源の起動時に電源回路１１の出力が立ち上がり始めたら電圧を下げる、あるいは遮断するように構成しても良い。
【００３７】
また、システムを組み立てた後、初めて稼動する前に行う検査の際に、電圧入力端子１５に模擬電圧Ｖ５を印加する。模擬電圧Ｖ５には、Ｖref2＋ＶＦよりも低い電圧と、Ｖref1＋ＶＦよりも高い電圧が選択される。Ｖref2＋ＶＦよりも低い模擬電圧Ｖ５が印加されたとき、あるいはＶref1＋ＶＦよりも高い模擬電圧Ｖ５が印加されたときに、電圧異常検出回路１２から異常を示すロウレベルの検出信号が出力されると、検査装置は電圧異常検出回路１２が故障していると判定することできる。
【００３８】
しかも、このように電圧入力端子１５に模擬電圧Ｖ５を印加することで回路の検査が行なえると、検査のために電源回路１１を動作させる必要がないとともに、模擬電圧Ｖ５は規定電圧範囲の上限値Ｖlim1よりも充分に低い電圧であるため、Ｖlim1よりも高い電圧が負荷回路ＬＤに印加されて不具合が発生するのを回避することができる。
【００３９】
図２は、本発明を、ＩＣ試験装置に用いられる直流電源装置に適用した場合の他の実施形態を示す。
【００４０】
この実施形態は、上記電源周辺回路１４に、２つの電圧入力端子１５ａと１５ｂを設けるとともに、該電圧入力端子１５ａ，１５ｂとブリーダ抵抗Ｒ１，Ｒ２の接続ノードＮ１との間に、それぞれダイオードＤ１，Ｄ２を接続したものである。また、上記電圧入力端子１５ａに対応して、電源起動／停止時に上記模擬電圧Ｖ４を生成する模擬電圧生成回路１６を設け、電源起動／停止時に模擬電圧生成回路１６で生成された模擬電圧Ｖ４を電圧入力端子１５ａに印加させるように構成されている。
【００４１】
上記模擬電圧生成回路１６は、電源起動／停止時に制御装置としてのシステムコントローラ２０からの制御信号によって一定期間活性化されるように構成することができる。電圧入力端子１５ｂには、システムの稼動前に行う検査の際に、図示しない検査装置によって模擬電圧Ｖ５（Ｖref2＋ＶＦよりも低い電圧とＶref1＋ＶＦよりも高い電圧）が印加される。これによって、この実施形態の直流電源装置は、図１の直流電源装置と同様な作用、効果を奏することができる。
【００４２】
さらに、上記説明では、電圧入力端子１５ａに対して、電源起動／停止時に電源回路１１が停止していても電圧異常検出回路１２から異常検出信号が出力されないようにするための模擬電圧Ｖ４を印加するとしたが、通常動作時に適当な電圧を印加しておくことで、電圧異常検出回路１２の見かけ上のしきい値を変化させることができる回路として動作させることも可能である。一般に、電圧異常検出回路１２のしきい値を変化させるには、ブリーダ抵抗Ｒ１，Ｒ２の抵抗比あるいは参照電圧Ｖref1を発生する定電圧回路の出力電位を変える必要があるが、電圧入力端子１５ａまたは１５ｂに適当な電圧を印加することで、そのような変更をせずに見かけ上のしきい値を可変にして電源回路が発生する電圧が異なる複数の電源装置に対応することができる。
【００４３】
以上本発明者によってなされた発明を実施形態に基づき具体的に説明したが、本発明は上記実施形態に限定されるものではない。例えば、上記実施形態では、電圧異常検出回路１２としてウィンドウコンパレータを使用しているが、所定のしきい値で電圧を判別できる回路であれば、インバータなどどのような回路であっても良い。
【００４４】
また、上記実施形態では、模擬電圧Ｖ４を、ダイオードＤ１を介して電圧異常検出回路１２に入力しているが、トランジスタなどの３端子スイッチング素子を介して入力しても良い。さらに、模擬電圧Ｖ４を印加したときに負荷回路ＬＤに向かって電流が流れたりしないように、電源回路１１の出力端子と抵抗Ｒ１との間に、抵抗Ｒ１に向かって順方向となるようなダイオードを接続しても良い。
【産業上の利用可能性】
【００４５】
以上の説明では主として本発明者によってなされた発明をその背景となった利用分野であるＩＣの試験装置に使用される電源装置に適用した場合を説明したが、本発明はそれに限定されず、他のシステムに使用される電源装置に利用することも可能である。その場合、異常検出回路１３の検出対象としては、温度や煙の他に、水漏れ、扉の開閉状態などがある。
【図面の簡単な説明】
【００４６】
【図１】本発明をＩＣ試験装置に用いられる直流電源装置に適用した場合の一実施形態を示すブロック図である。
【図２】本発明をＩＣ試験装置に用いられる直流電源装置に適用した場合の他の実施形態を示すブロック図である。
【図３】本発明に先立って検討したＩＣ試験装置用の直流電源装置の一構成例を示すブロック図である。
【符号の説明】
【００４７】
１１  電源回路
１２  電圧異常検出回路
１３  異常検出回路
１４  電源周辺回路
１５  電圧入力端子
１６  模擬電圧生成回路
２０  システムコントローラ（制御装置）
【図１】
2010057244.tif 000003
【図２】
2010057244.tif 000004
【図３】
2010057244.tif 000005